(57)【要約】【課題】コンクリートの打設前から使用している養生シートをより簡易にコンクリートに残置することができるコンクリート構造物の製作方法を提供する。【解決手段】コンクリート構造物Ｃの製作方法は、内側に空間が設けられた複数の型枠１０を準備する工程と、筒状の養生シート２０を準備する工程と、型枠１０を積み上げると共に、積み上げられた型枠１０の内側に養生シート２０を配置する工程と、養生シート２０の下部タブ２４をベースＢに対して固定する工程と、下部タブ２４を固定した後に筒状の養生シート２０の内側にコンクリートを打設する工程と、打設コンクリートが硬化した後、硬化したコンクリートを養生シート２０でそのまま養生する工程と、を備える。この製作方法では、養生シート２０の外側に型枠１０が配置されて養生シート２０が型枠１０によって支持された後にコンクリートが打設される。【選択図】図１
2020066849.tif 000002
【特許請求の範囲】
【請求項１】
内側に空間を画定するように構成された複数の型枠を準備する工程と、
筒状又は袋状の養生シートを準備する工程と、
前記複数の型枠を積み上げると共に、当該積み上げられた型枠の内側に前記筒状又は袋状の養生シートを配置する工程と、
前記養生シートの一端をベースに対して固定する工程と、
前記一端を固定した後に前記養生シートの内側にコンクリートを打設する工程と、
前記打設されたコンクリートが硬化した後、当該硬化したコンクリートを前記養生シートでそのまま養生する工程と、を備え、
前記打設する工程は、前記養生シートの外側に前記複数の型枠が配置されて当該養生シートが前記複数の型枠によって支持された後に行われる、
コンクリート構造物の製作方法。
【請求項２】
前記配置する工程において、前記筒状又は袋状の養生シートの水平方向に沿った断面積が、前記複数の型枠の内側に形成される空間の水平方向に沿った断面積よりも小さい、
請求項１に記載のコンクリート構造物の製作方法。
【請求項３】
前記コンクリートを打設する前の前記養生シートの水平方向に沿った断面積が、前記型枠の内側に形成される空間の水平方向に沿った断面積に対して０．０００６％〜０．６％ほど小さい、
請求項１又は２に記載のコンクリート構造物の製作方法。
【請求項４】
打設された前記コンクリートが硬化した後、前記養生シートが前記コンクリートに付着した状態で前記複数の型枠を脱型する工程を更に備える、
請求項１〜３の何れか一項に記載のコンクリート構造物の製作方法。
【請求項５】
前記複数の型枠は、プラスチック製又はカーボン製の軽量型枠である、
請求項１〜４の何れか一項に記載のコンクリート構造物の製作方法。
【請求項６】
前記ベースに対してガイドを設置する工程を更に備え、
前記型枠に設けられた貫通孔に前記ガイドを通して、前記型枠を積み上げる、
請求項１〜５の何れか一項に記載のコンクリート構造物の製作方法。
【請求項７】
前記型枠は上下方向において他の型枠と嵌め合わせ可能な構成を有しており、
前記配置する工程では、当該構成を利用して前記型枠を積み上げる、
請求項１〜６の何れか一項に記載のコンクリート構造物の製作方法。
【請求項８】
前記コンクリートを打設する工程では、前記一端から逆側に向かって前記養生シートに所定のテンションを付与した状態で前記コンクリートを打設する、
請求項１〜７の何れか一項に記載のコンクリート構造物の製作方法。
【発明の詳細な説明】
【技術分野】
【０００１】
本発明は、養生シートを用いたコンクリート構造物の製作方法（構築方法）に関する。
【背景技術】
【０００２】
橋梁やダム等をはじめとするコンクリート構造物を構築するための施工方法として、特許文献１に記載の工法が新たに用いられるようになってきている。この工法では、コンクリート打設用の型枠を設置し、型枠の内面に予め非透水性の養生シートを固定した状態でコンクリートの打設を行う。そして、コンクリートの打設後に型枠を脱型するものの養生シートはコンクリート側に残置し、打設したコンクリートをこの養生シートでそのまま覆い、コンクリートを長期に渡って養生する。
【先行技術文献】
【特許文献】
【０００３】
【特許文献１】特許第５６９８３０４号公報
【特許文献２】特開２００９−０８４９００号公報
【発明の概要】
【発明が解決しようとする課題】
【０００４】
上記の工法では、型枠脱型時に養生シートをコンクリートに確実に残置することが必要とされるため、保持ピン等の保持部材や両面粘着テープ等を用いて養生シートをコンクリートに固定している。しかしながら、保持部材の設置や両面粘着テープの貼付け等の作業が必要となり、その分、手間がかかっていた。
【０００５】
本発明は、上述した課題を解決するために為されたものであり、コンクリートの打設前から使用している養生シートをより簡易にコンクリートに残置することができるコンクリート構造物の製作方法を提供することを目的とする。
【課題を解決するための手段】
【０００６】
本発明に係るコンクリート構造物の製作方法は、内側に空間を画定するように構成された複数の型枠を準備する工程と、筒状又は袋状の養生シートを準備する工程と、複数の型枠を積み上げると共に、当該積み上げられた型枠の内側に筒状又は袋状の養生シートを配置する工程と、養生シートの一端をベースに対して固定する工程と、一端を固定した後に養生シートの内側にコンクリートを打設する工程と、打設されたコンクリートが硬化した後、当該硬化したコンクリートを養生シートでそのまま養生する工程と、を備えている。この製作方法では、打設する工程は、養生シートの外側に複数の型枠が配置されて当該養生シートが複数の型枠によって支持された後に行われる。
【０００７】
このコンクリート構造物の製作方法では、養生シートの形状を筒状又は袋状として、コンクリートが硬化した際に、養生シートをそのままコンクリート構造物に被せられるようにしている。このため、コンクリートの打設前から使用している養生シートを保持部材や粘着テープ等を用いることなくコンクリートに残置させることができ、より簡易に養生シートをコンクリートに残置できる。また、この製作方法では、養生シートの外側に複数の型枠が配置されて当該養生シートが複数の型枠によって支持された後にコンクリートが打設される。このため、養生シート内に打設されたコンクリートを型枠でしっかりと保持することができる。
【０００８】
上記のコンクリート構造物の製作方法では、配置する工程において、筒状又は袋状の養生シートの水平方向に沿った断面積が、複数の型枠の内側に形成される空間の水平方向に沿った断面積よりも小さいことが好ましい。この場合、養生シートが打設されたコンクリートの自重により少し外側に延びる（広がる）ことが可能となり、コンクリート面に接する養生シートにシワが発生することを防止できる。その結果、養生シートによって養生されるコンクリート構造物の表面へのシワの転写を抑制できる。なお、コンクリートを打設する前の養生シートの水平方向に沿った断面積が、型枠の内側に形成される空間の水平方向に沿った断面積に対して０．０００６％〜０．６％ほど小さくてもよい。この場合、養生シートとしての性能を維持しつつ、ある程度伸びてシワの発生をより好適に防止することができる。
【０００９】
上記のコンクリート構造物の製作方法は、打設されたコンクリートが硬化した後、養生シートがコンクリートに付着した状態で複数の型枠を脱型する工程を更に備えてもよい。この場合、養生シートをコンクリートに残置することができると共に、脱型した型枠を別の現場で使用することができる。複数の型枠それぞれは、プラスチック製又はカーボン製の軽量型枠であることが好ましい。この場合、型枠の設置作業を容易に行うことができる。なお、型枠は、鋼製の型枠であってもよい。
【００１０】
上記のコンクリート構造物の製作方法は、ベースに対してガイドを設置する工程を更に備え、型枠に設けられた貫通孔にガイドを通して、型枠を積み上げるようにしてもよい。この場合、型枠を整列して積み上げることができ、また積み上げた後の型枠を安定させることもできる。また、上記のコンクリート構造物の製作方法では、型枠は上下方向において他の型枠と嵌め合わせ可能な構成を有し、配置する工程では、当該構成を利用して型枠を積み上げてもよい。この場合、ガイドの設置作業は不要となり、型枠の積み上げ作業全体を簡素化できる。なお、型枠が上下方向において他の型枠と嵌め合わせ可能な構成を有しつつ更に貫通孔を設けて、ガイドを用いて積み上げられるようにしてもよい。
【００１１】
上記のコンクリート構造物の製作方法において、コンクリートを打設する工程では、一端から逆側に向かって養生シートに所定のテンションを付与した状態でコンクリートを打設してもよい。この場合、コンクリートに接する養生シートにシワが発生することをより一層防止でき、その結果、養生シートによって養生されるコンクリート構造物の表面へのシワの転写を抑制できる。
【発明の効果】
【００１２】
本発明によれば、コンクリートの打設前から使用している養生シートをより簡易にコンクリートに残置する、コンクリート構造物の製作方法を提供することができる。
【図面の簡単な説明】
【００１３】
【図１】図１の（ａ）〜（ｄ）は、本発明に係るコンクリート構造物の製作方法の一例を示す図である。
【図２】図２の（ａ）及び（ｂ）は、図１に示す製作方法に用いられる型枠の一例を示す図である。
【図３】図３は、図１に示す製作方法に用いられる筒状の養生シートの一例を示す斜視図である。
【図４】図４の（ａ）〜（ｃ）は、本発明に係るコンクリート構造物の製作方法の別の例を示す図である。
【図５】図５の（ａ）及び（ｂ）は、養生シートをベースに固定する際の変形例を示す図である。
【図６】図６は、本製造方法に用いられる養生シートの変形例において、その表面の水への接触角を示す模式図である。
【発明を実施するための形態】
【００１４】
以下、図面を参照しつつ、本発明に係るコンクリート構造物の製作方法について説明する。説明において、同一要素又は同一機能を有する要素には、同一符号を用いる場合があり、重複する説明は省略する。
【００１５】
このコンクリート構造物の製作方法は、ガイド及び型枠を準備する工程と、筒状又は袋状の養生シートを準備する工程と、養生シートの一端をベースに対して固定する工程と、複数の型枠を積み上げると共に当該積み上げられた型枠の内側に養生シートを配置する工程と、一端を固定した後に養生シートの内側にコンクリートを打設する工程と、打設されたコンクリートが硬化した後、硬化したコンクリートを養生シートでそのまま養生する工程と、を備えている。この製作方法では、筒状又は袋状の養生シートを用いていることから、例えば角柱や円柱などの柱状コンクリートを容易に構築できる。他の形状のコンクリート構造物を構築してもよい。以下では、四角柱のコンクリート構造物を構築する場合を例にとって説明するが、円柱のコンクリート構造物に適用してもよいし、他の形状のコンクリート構造物に適用してもよい。
【００１６】
図１の（ａ）〜（ｄ）は、本発明に係るコンクリート構造物の製作方法の一例を示す図である。図１の（ａ）に示すように、この製作方法では、まず、打設済みのコンクリート等のベースＢ上において、構築予定の角柱コンクリート構造物の４隅に対応する箇所に、Ｈ鋼、アングル又はチャンネル等の軽量型枠用のガイド１をそれぞれ設置する。これにより、４つのガイド１がベースＢに対して固定される。ベースＢは、打設済みのコンクリート以外でもよく、例えば岩盤であってもよい。
【００１７】
続いて、それぞれが枠形状を呈する複数の型枠１０と筒状の養生シート２０とを準備する。型枠１０は、図２の（ａ）に示すように、例えば四角形状の枠体１２であり、その４隅に貫通孔１４が設けられている。貫通孔１４は、上述したガイド１をその中に挿入させて型枠１０の位置を定めるための位置決め機構である。本製作方法に用いられる型枠は、図２の（ａ）に示す一体的な型枠１０でもよいし、複数の枠体１２ａ〜１２ｄをボルト等で連結することで四角形状になる型枠１０ａ（図２の（ｂ）参照）であってもよい。また、型枠は、その内側にコンクリートを打設するための空間を画定するように構成されたものであればよく、その内側が正方形でなく、長方形、円形、楕円形、三角形の他の多角形となる枠体の型枠であってもよい。型枠１０は、製作するコンクリート構造物の形状（断面形状等）に応じて、好適な形態とすることができる。また、型枠１０は、作業性等を考慮すると、プラスチック製又はカーボン製の軽量型枠を用いることが好ましいが、鋼性のものであってもよい。
【００１８】
養生シート２０は、図３に示すように、例えば角筒形状（中空）の本体部２２を含んで構成され、本体部２２の下には固定用の下部タブ２４と、本体部２２の上には引っ掛け用の上部タブ２６とが設けられている。養生シート２０が袋状の場合、下方が閉じる形状であってもよい。養生シート２０は、０．０２ｍｍ〜２．０ｍｍ程度の厚みを有する。また、コンクリートを打設する前の養生シート２０の水平方向に沿った断面積が、型枠１０の内側に形成される空間の水平方向に沿った断面積に対して０．０００６％〜０．６％ほど小さくなるような養生シート２０であってもよい。なお、ここでいう養生シート２０の水平方向に沿った断面積は、養生シート２０の外形における断面積を意味する。
【００１９】
また、養生シート２０は、例えば、ポリプロピレン、ナイロン、ナイロン６、ペルフルオロアルコキシフッ素樹脂、四フッ化エチレン・六フッ化プロピレン共重合体、エチレン・四フッ化エチレン共重合体、ポリエチレンテレフタラート（ＰＥＴ）、ポリ塩化ビニル、ポリ酢酸ビニル、ポリ塩化ビニリデン、ポリオレフィンなどの高分子化合物から構成されるシートを用いることができる。中でも、ポリプロピレン、ポリエチレンテレフタラート、ポリ塩化ビニリデン、又は、ポリ塩化ビニルから構成されるシートを用いることで、より安価な養生シートを提供することができ、脱型後もコンクリート表面上に残置させることでコンクリートの養生期間を容易に長くすることができる。
【００２０】
複数の型枠１０と筒状の養生シート２０とが準備されると、次に、下方に配置する１段目の型枠１０の下であってベースＢの上に養生シート２０の下部タブ２４（一端）を配置する。そして、型枠１０の貫通孔１４にガイド１を通しながら型枠１０を下方（ベースＢ）まで移動させ、１段目の型枠１０とベースＢとの間に下部タブ２４を挟み込む。これにより、図１の（ｂ）に示すように、養生シート２０の下端がベースＢに対して固定される。この際、養生シート２０が自立性なく薄いシートだと当該図に示されるように、その上方が外側に広がるようつぶれるが（上方部分は省略）、自立性のある養生シートであれば、ある程度、自立させることも可能である。
【００２１】
続いて、養生シート２０の下端のベースＢに対する固定が完了すると、複数の型枠１０を、最初に設置した１段目の型枠１０の上に順に積み上げる作業を行う。この際、各型枠１０の貫通孔１４にガイド１を通すようにして各型枠１０を配置する。一方、養生シート２０は、型枠１０の積み上げの際に、シートを伸ばしながら、型枠１０の上方に引っ掛かるように取り付ける。これにより、図１の（ｃ）に示すように、積み上げられた型枠１０の内側に筒状の養生シート２０が配置されることになる。なお、この際に筒状の養生シート２０の水平方向に沿った断面積が、型枠１０の内側に形成される空間の水平方向に沿った断面積よりも小さいことが好ましい。すなわち、型枠１０の内周面と養生シート２０の外周面との間に空隙が形成されることが好ましい。このような関係にしておくことにより、養生シート２０の内部にコンクリートを打設した際、養生シート２０が好適に延びて広がり、シワが発生しづらくなるのに加え、養生シート２０と打設されたコンクリートとの密着性を向上することができる。
【００２２】
続いて、型枠１０の積み上げ及び養生シート２０の型枠１０内への設置が完了すると、筒状の養生シート２０の内側に所定量のコンクリートを打設する。これにより、養生シート２０内にコンクリートの硬化体又は所定のコンクリート構造物Ｃが構築される。コンクリートを打設する際に、養生シート２０の上方又は上部タブ２６を上方に引っ張り、更にシワがない状態にしておいて、コンクリートを打設してもよい。この引っ張りの際、養生シート２０の伸び率が０．００１％以上であるとシートがたるむこともなく、好適である。その後、コンクリートの締固めが終了すると、型枠１０をはめたまま、コンクリートの養生を例えば３日〜２８日程度行い、コンクリートの水和反応を促進させる。
【００２３】
続いて、打設されたコンクリートが硬化すると、その後、図１の（ｄ）に示すように、型枠１０を脱型し、当該硬化したコンクリートを養生シート２０でそのまま養生する。この際、養生シート２０が筒形状であることから、型枠１０を脱型しても、養生シート２０がコンクリートの表面に残置されたままとなる。養生シート２０が袋状であっても同様に残置される。養生シート２０による養生は、型枠１０の脱型後２８日以上養生を続けてもよいし、型枠１０の脱型後９１日以上養生を続けてもよい。更に、コンクリート構造物の引き渡しに至るまで（例えば脱型後１年以上）養生を続けてももちろんよい。このような長期の養生を続けることにより、コンクリート構造物Ｃの強度や耐久性を飛躍的に高めて、その品質を向上することができる。所定期間の養生が終了すると、養生シート２０をコンクリート構造物Ｃから取り外し、これにより、コンクリート構造物Ｃが完成する。
【００２４】
以上、本実施形態に係るコンクリート構造物の製作方法では、養生シート２０の形状を筒状又は袋状として、コンクリートが硬化した際に、養生シート２０をそのままコンクリート構造物Ｃに被せられるようにしている。このため、コンクリートの打設前から使用している養生シート２０を保持部材や粘着テープ等を用いることなくコンクリートに残置させることができるため、より簡易に養生シート２０をコンクリートに残置できる。
【００２５】
また、本実施形態に係るコンクリート構造物の製作方法は、内側に空間を画定するように構成された複数の型枠１０を準備する工程と、複数の型枠１０を積み上げると共に当該積み上げられた型枠１０の内側に筒状又は袋状の養生シート２０を配置する工程とを備え、打設する工程は、養生シート２０の外側に複数の型枠１０が配置されて当該養生シート２０が複数の型枠１０によって支持された後に行われるようになっている。このため、養生シート２０として自立しないような薄いシートを用いた場合であっても、養生シート２０内に打設されたコンクリートを型枠１０でしっかりと保持することができる。
【００２６】
また、本実施形態に係るコンクリート構造物の製作方法では、型枠を配置する工程において、筒状又は袋状の養生シート２０の水平方向に沿った断面積が、複数の型枠１０の内側に形成される空間の水平方向に沿った断面積よりも小さいものとすることができる。この場合、養生シート２０が打設されたコンクリートの自重により少し外側に延びる（広がる）ことが可能となり、コンクリートに接する養生シート２０にシワが発生することを防止できる。その結果、養生シート２０によって養生されるコンクリート構造物Ｃの表面へのシワの転写を抑制できる。なお、コンクリートを打設する前の養生シート２０の水平方向に沿った断面積が、型枠１０の内側に形成される空間の水平方向に沿った断面積に対して０．０００６％〜０．６％ほど小さくてもよい。この場合、養生シート２０としての性能を維持しつつ、ある程度伸びてシワの発生をより好適に防止することができる。
【００２７】
また、本実施形態に係るコンクリート構造物の製作方法は、打設されたコンクリートが硬化した後、養生シート２０がコンクリートに付着した状態で複数の型枠１０を脱型する工程を更に備えている。このため、養生シート２０をコンクリートに残置することができると共に、脱型した型枠１０を別の現場で使用することができる。複数の型枠それぞれは、プラスチック製又はカーボン製の軽量型枠であることが好ましい。この場合、型枠１０の設置作業を容易に行うことができる。なお、型枠は、鋼製の型枠であってもよい。
【００２８】
また、本実施形態に係るコンクリート構造物の製作方法は、ベースＢに対してガイド１を設置する工程を更に備え、型枠１０に設けられた貫通孔１４にガイド１を通して、型枠１０を積み上げるようにしてもよい。この場合、型枠１０を整列して積み上げることができ、また積み上げた後の型枠１０を安定させることもできる。
【００２９】
また、本実施形態に係るコンクリート構造物の製作方法では、コンクリートを打設する工程で、一端から逆側に向かって養生シート２０に所定のテンションを付与した状態でコンクリートを打設してもよい。この場合、コンクリートに接する養生シート２０にシワが発生することをより一層防止でき、その結果、養生シート２０によって養生されるコンクリート構造物Ｃの表面へのシワの転写を抑制できる。
【００３０】
以上、本発明の実施形態について詳細に説明してきたが、本発明は上記実施形態に限定されるものではなく様々な実施形態に適用することができる。例えば、上記実施形態では、ガイド１と貫通孔１４を有する型枠１０，１０ａとを用いたコンクリート構造物の製作方法について説明したが、本発明はこれに限定されない。例えば、図４に示すように、各型枠１０ｂにホゾ構造を設け、上方に突起１６を下方に穴部（溝）を設けた型枠を使用してもよい。この場合、ガイド１を設置する必要がなく、図４の（ａ）〜（ｃ）に示すように、各型枠１０ｂを順に積み上げ、当該積み上げられた型枠１０ｂの内側に筒状又は袋状の養生シート２０を配置して、その中にコンクリートを打設して養生を行うことができる。この製作方法の他の構成は上述した実施形態と同様であり、その説明を省略する。この製作方法によれば、ガイド１の設置作業が不要となり、型枠１０ｂの積み上げ作業全体を簡素化できる。なお、型枠が上下方向において他の型枠と嵌め合わせ可能な上記のホゾ構成を有しつつ更に貫通孔１４を設けて、ガイド１を用いて積み上げられるようにしてもよい。
【００３１】
また、上記の実施形態では、養生シート２０の下部を固定する部材として型枠を用いたが、図５の（ａ）及び（ｂ）に示すように、養生シート２０の一端（下端）を固定する専用のボルト留め部材３０を用いてもよい。この場合、シワシワの養生シート２０を上方に引っ張る所定のテンションをかけた場合でも養生シート２０が止め部から外れたりすることがより確実に防止される。なお、図５の（ｂ）では、内部に鉄筋Ｓが設けられた場合を示しているが、このような場合であっても、養生シート２０をよりピンと張るようにすることができる。また、上記の実施形態では、施工現場でのコンクリート構造物の製作方法の例について説明したが、プレキャスト等に本製作方法を適用してももちろんよい。
【００３２】
また、上記実施形態では、養生シート２０として特に限定していないが、養生シート２０のコンクリート側の接触面の水との接触角が５０度以上であるものを採用することが好ましい。具体的には、養生シート２０の接触面の水との接触角θが６９度以上であることが好ましく、接触角θが８０度以上であることが更に好ましく、接触角θが９０度以上であることがより一層好ましい。ここで、「接触角θ」とは、図６の（ａ）に示されるように、液滴の接線と固体表面（養生シート２０の表面）とのなす角度であり、以下の式（１）で示される。
【数１】
2020066849.tif 000003
γＳ：固体の表面張力
γＬ：液体の表面張力
γＳＬ：固体と液体の界面張力
【００３３】
そして、「接触角θ」は、例えば、θ／２法で測定することができる。具体的には、図６の（ｂ）に示されるように、液滴の半径ｒと高さｈを求める。そして、以下の式（２）、式（３）から、接触角θを求めることができる。
【数２】
2020066849.tif 000004
【数３】
2020066849.tif 000005
【００３４】
通常、セメントの当初の硬化に必要な量以上の余剰な水がコンクリートに含まれていると、打設後にコンクリートが硬化する際、ブリージング水が発生することがある。上述のように、水との接触角が５０度以上の養生シート２０を打設時に用いることにより、ブリージング水が発生することを効果的に抑制することができる。このようにブリージング水の発生が抑制されるのは、コンクリートの表面を覆っている養生シート２０のシート面（接触面）の接触角（濡れ角とも言う）が大きいと、コンクリート内に含まれていてその表面から外に出ようとする水や当該水中に存在する空気がシート接触面においてコンクリート内部に押し戻される作用が働き、その結果、水及びその内部の空気がコンクリート内に残存したまま硬化が進むためと考えられる。そして、この養生シート２０によれば、このようにしてブリージング水の発生が抑制されるため、脱型後の水和反応に必要な水をコンクリートが含有していることになり、コンクリート養生の際に外部から養生水を供給することなく又は養生水をそれほど用いることなく、所定の圧縮強度や耐久性などの品質を発現できるコンクリート構造物を製造することができる。
【００３５】
また、養生シート２０は、シートの水蒸気透過性の小さいものを用いることが好ましく、シートの水蒸気透過性が１０ｇ／ｍ２・２４ｈ以下であることが好ましく、シートの水蒸気透過性が５ｇ／ｍ２・２４ｈ以下であることがより一層好ましい。また、養生シート２０は、シートの二酸化炭素透過性の小さいものを用いることが好ましく、シートの二酸化炭素透過性が１０万ｃｃ／ｍ２・２４ｈ・ａｔｍ以下であることが好ましく、シートの二酸化炭素透過性が５万ｃｃ／ｍ２・２４ｈ・ａｔｍ以下であることがより一層好ましい。素材の表面を各種表面加工技術によって加工することで、水蒸気透過性又は二酸化炭素透過性を小さくしたシートを作製することができる。
【符号の説明】
【００３６】
１０，１０ａ，１０ｂ…型枠、１２，１２ａ〜１２ｄ…枠体、１４…貫通孔、２０…養生シート、２２…本体部、２４…下部タブ、２６…上部タブ、３０…ボルト留め部材、Ｂ…ベース、Ｃ…コンクリート構造物。
【図１】
2020066849.tif 000006
【図２】
2020066849.tif 000007
【図３】
2020066849.tif 000008
【図４】
2020066849.tif 000009
【図５】
2020066849.tif 000010
【図６】
2020066849.tif 000011